(57)【要約】      （修正有）【課題】子供や高齢者でも容易に組み立てることができるよう組立性及び分解性に優れ、かつ十分な音響性能を備えることのできる組立式の桶胴太鼓キットを提供する。【解決手段】桶胴太鼓キット１は、筒をその長さ方向に分割した多数の弧状板からなる複数の胴体片２と、胴体片２の分割面に設けられた貫通孔に挿入され複数の胴体片２を円筒状に結束する紐体と、胴体片２の両端それぞれに着設されるリング板５と、リング板５に当接する鼓体４からなり、鼓体４は、シート状の鼓面４１と、鼓面４１を挟持する２枚の固定リング４２と、固定リング４２のリング面に設けられた多数の孔部４５に挿通される紐通し部材と、紐通し部材に挿通して緊締することで鼓体４を胴体片２に押圧する押圧紐から構成され、紐通し部材が中空上の雄ねじ片４３と雄ねじ片４３に羅合する雌ねじ片４４から構成した。【選択図】図１
0003231073.tif 000002
【実用新案登録請求の範囲】
【請求項１】
筒をその長さ方向に分割した多数の弧状板からなる複数の胴体片と、該胴体片の分割面に設けられた貫通孔に挿入され前記複数の胴体片を円筒状に結束する紐体と、前記胴体片の両端それぞれに着設されるリング板と、該リング板に当接する鼓体からなり、該鼓体は、シート状の鼓面と、該鼓面を挟持する２枚の固定リングと、該固定リングのリング面に設けられた多数の孔部に挿通される紐通し部材と、該紐通し部材に挿通して緊締することで前記鼓体を前記胴体片に押圧する押圧紐から構成され、前記紐通し部材が中空上の雄ねじ片と該雄ねじ片に羅合する雌ねじ片から構成されていることを特徴とする組立式の桶胴太鼓キット。
【考案の詳細な説明】
【技術分野】
【０００１】
本考案は、組立性及び分解性に優れ、かつ十分な音響性能を備えることのできる桶胴太鼓キットに関するものである。
【背景技術】
【０００２】
従来、和太鼓や洋太鼓等の太鼓は、動物の皮革材からなる鼓体を筒状の胴体の側端に張られている。このような鼓体は、雨や水に濡れると劣化して叩いたときに損傷する、皮革からなる鼓体が乾燥したり湿気を帯びて、打音が変化して不正確な音となるばかりでなく、値段も高く、次第に使用し難くなる等の種々の問題点があった。ところで太鼓の胴は、その構造から大きく二種類に分かれており、一本の木をくり抜いた胴を持つ長胴太鼓と、桶や樽のように板を張り合わせて作った胴を持つ桶胴太鼓に分けられている。長胴太鼓は、製作自体が困難かつ煩雑であるうえに、胴体サイズが比較的大きいため、運搬し難いという問題点があった。さらにこのような胴体は、木材の大きさと材質の制限、及び１本の木から取れる数に限りがある為、胴体のコストが著しく高価となるという問題点を抱えていた。
【０００３】
そこで、太鼓の胴体を分割形成すると共に、鼓体を皮革以外の安価な材料から形成することで、安価でかつ簡易な構成とし、組立し易くした桶胴太鼓（例えば、特許文献１参照）が先に提案されている。
【先行技術文献】
【特許文献】
【０００４】
【特許文献１】特開平１１−２４２４７８号公報
【考案の概要】
【考案が解決しようとする課題】
【０００５】
しかしながら、特許文献１に記載された太鼓は、筒状に組み立てた胴体の両端に鼓体を設け、その外側に固定板を設けるとともに固定板と鼓体を緊締し、胴体に固定板と鼓体を押圧固定する構造であるため、鼓内の密閉度は、紐の押圧力に左右されてしまうという問題があった。すなわち、緊締力が弱いと鼓内の密閉度が下がるとともに、音響性能が低下する。また、製作者が力の弱い子供や高齢者の場合は、十分な音響性能を備えた太鼓を組み立てることは困難であった。
【０００６】
本考案は、上記の問題点に鑑みなされたもので、子供や高齢者でも容易に組み立てることができるよう組立性及び分解性に優れ、かつ十分な音響性能を備えることのできる桶胴太鼓キットを提供することを目的とする。
【０００７】
このため、本考案の組立式の桶胴太鼓キットは、筒をその長さ方向に分割した多数の弧状板からなる複数の胴体片と、該胴体片の分割面に設けられた貫通孔に挿入され前記複数の胴体片を円筒状に結束する紐体と、前記胴体片の両端それぞれに着設されるリング板と、該リング板に当接する鼓体からなり、該鼓体は、シート状の鼓面と、該鼓面を挟持する２枚の固定リングと、該固定リングのリング面に設けられた多数の孔部に挿通される紐通し部材と、該紐通し部材に挿通して緊締することで前記鼓体を前記胴体片に押圧する押圧紐から構成され、前記紐通し部材が中空上の雄ねじ片と該雄ねじ片に羅合する雌ねじ片から構成されていることを特徴とする。
【考案の効果】
【０００８】
本考案の桶胴太鼓キットは、以下の優れた効果を有する。
（１）胴体が複数の胴体片から構成され、かつ複数の胴体片を紐体で結束するため、例えば胴体片の一部が劣化・破損した際に、太鼓自体を分解することで、胴体片を交換することができる。仮に複数の胴体片を接着したとしても、接着面積が少ないため分解が容易である。
（２）小学生などの子供や高齢者にも組立可能な構成であるため、製造過程を工作として学ぶことができるばかりでなく、製作後の太鼓を音楽等の授業の教材として使用することができる。
（３）一度製作した太鼓を分解可能なため、持ち運びの際には分解して移動させることができる。
（４）押圧紐により鼓面の押圧力を自在に設定でき、手軽に調音することができる。
（５）組み立てることで太鼓の構造を学ぶことができるとともに、調音することで音の伝わり方を気軽に学ぶことができる。
（６）鼓面を２枚の固定リングで挟み、ねじ片によりしっかりと固定するため、音響性能に優れる。
【図面の簡単な説明】
【０００９】
【図１】本考案に係る組立式の桶胴太鼓キットの一実施例を示す分解斜視図である。
【図２】図１に示す胴体片詳細を示す斜視図である。
【図３】図２に示す胴体片詳細の組み立てを説明する斜視図である。
【図４】図１に示す雄ねじ片を示す断面図である。
【図５】本考案に係る組立式の桶胴太鼓キットの一実施例を示す組み立て後の斜視図である。
【図６】本考案に係る胴体片２の水平方向断面図である。
【考案を実施するための形態】
【００１０】
次に、本考案の実施例について添付の図面を参照し、組み立ての順序に沿って詳述する。図１〜図４は、本考案に基づく組立式の桶胴太鼓キットの一実施例を示している。
【００１１】
本実施例の桶胴太鼓キット１は、図１に示すように、円筒をその長さ方向に分割された多数の胴体片２からなる胴体部分３と、該胴体部分３の両端それぞれに相対向して設けられる鼓体４と、該鼓体４に密着するとともに胴体部分３の両端それぞれに接着されるリング板５を主たる構成としている。
【００１２】
胴体片２は、上面視で円弧状の木材からなり、胴体３をその円筒長さ方向に多数に分割した木片である。胴体片２は、合板、集成材、積層材、パーテクルボード、ファイバーボード等の改良木材や端材その他の木材を使用して形成することができる。
【００１３】
胴体片２は、図２及び図６に示すように、それぞれの分割面２１に貫通孔２２が形成されている。貫通孔２２には、図３に示すように、紐体６が挿通可能とされている。図６に示すように、貫通孔２２は、胴体片２の中心線Ｌより内側（鼓内側）に直線状となるよう設けられており、紐体６の挿通が容易となるよう工夫されている。さらに、複数の胴体片２のうち、少なくとも１つは、図２に示すように、溝部２４が分割面２１に形成されている。溝部２４は、紐体６が這う程度の大きさで、貫通孔２２から内側（鼓内側）に向かって形成されている。紐体６をこの溝部２４に這わせることで、紐体６の結び目を太鼓内に収めるとともに、紐体６の干渉により複数の胴体片２の接合に干渉することを防ぐことができる。
【００１４】
このように、複数の胴体片２を円周方向に配列して円筒状にすると共に、貫通孔２２に紐体６を挿通して結束することで、太鼓におけるいわゆる胴部分が形成される。紐体６の端部同士は、互いに結んで縛るほか、図３に示すように、手芸などに用いられるストッパーなどの留め具６１を用い、複数の胴体片２がしっかりと円筒状に固定する役割を担う。また、紐体６を用いず、隣り合う分割面２１同士を接着剤等で接合する手法で複数の胴体片２を円筒状になしても良く、紐体６を用いた上で、分割面２１同士を接着剤等で接合しても良い。
【００１５】
次いで図３に示すように、円筒状となった胴体片２の両端部２３には、複数の胴体片２をより一体化できるようリング板５が着設される。リング板５は、胴体片２と同様の材質が好ましいが、好みの音に合わせて金属やプラスチックなど種々の素材に変更しても良い。リング板５は、両端部２３に接着剤等で固設しても良い。なお、リング板５の外径は、複数の胴体片２を円筒状に固定した際の円筒外径と同径であることが好ましい。
【００１６】
鼓体４は、図１に示すように、一般に使用されている皮革材以外の材料、特にリサイクル材である牛乳パックや清涼飲料水パック等の飲料パック、または包装容器その他の材料からなるシート状の鼓面４１を、動植物の成分やゴムや合成樹脂（プラスチック）等からなる円板状の固定リング４２で挟持することで形成されている。鼓面４１および固定リング４２の外径は、複数の胴体片２を円筒状に固定した際の円筒外径より大径となることが好ましい。
【００１７】
鼓面４１および固定リング４２は、その円周方向上に多数の孔部４５が均等に穿設され、固定リング４２に関しては孔部４５と同心とする位置に座堀部４６が設けられている。孔部４５には、紐通し部材が挿通され、図５に示すように、押圧紐７を挿通して緊締することで、鼓体４を胴体へ押圧させる。座堀部４６は、後述する雄ねじ片４３の頭部と略同形状、並びに同サイズで形成されており、雄ねじ片４３と雌ねじ片４４を螺合させる際に、雄ねじ片４３の供回りを防止して容易に螺合させることができる。座堀部４６の掘り込み深さは、雄ねじ片４３の頭部が固定リング４２の表面から突出しないよう、雄ねじ片４３の頭部の高さと同じ深さでも良いが、供回りを防止するという観点からは、雄ねじ片４３の頭部の高さより座堀部４６の掘り込み深さを短くし、図５に示すように、固定リング４２の表面から雄ねじ片４３の頭部が突出しても良い。
【００１８】
紐通し部材は、一組の雄ねじ片４３と雌ねじ片４４をボルト＆ナットのように螺合させたものであり、雄ねじ片４３は、図４に示すように、その軸方向に押圧紐が挿通可能とされた中空部４７が形成されたボルトである。一組の雄ねじ片４３と雌ねじ片４４は、金属や合成樹脂等を成型したもので、軽量化の点やコスト面から合成樹脂の使用が好ましい。また、図示していないが、座金等を設けても良く、一組の雄ねじ片４３と雌ねじ片４４の螺合手法は、本図に限定されるものではないことを付言する。
【００１９】
押圧紐７は、緊締するのに充分な強度を持つ紐材であり、多数の紐通し部材を挿通して緊締するのに充分な長さをもつものであり、胴体片２の両端部２３に着設されるリング板５へ相対向して配設された鼓体４を緊締することで、胴体部分３に鼓体４を押圧する。押圧紐７の締め方は、一般的な太鼓に用いられる締め方であれば良く、本図の締め方に限定されるものではない。
【００２０】
なお、本明細書における合成樹脂（プラスチック）としては、例えば熱可塑性合成樹脂（熱可塑性プラスチック）や熱硬化性合成樹脂（熱硬化性プラスチック）が挙げられ、熱可塑性合成樹脂（熱可塑性プラスチック）としては、四弗化エチレン樹脂等の弗素樹脂（ポリフルオルエチレン樹脂）等が、熱硬化性合成樹脂（熱硬化性プラスチック）としては、珪素樹脂（シリコン）やポリウレタン（ウレタン樹脂）、エポキシ樹脂等が用いられる。また、ゴムとしては、例えば天然ゴムや合成ゴムが挙げられ、音響性能や表面強度により適宜選択して使用される。
【００２１】
さらに、本考案のおいては、胴体部分を円筒状としたが、これに限定されるものではなく、例えば胴体部分を組み立てた際に多角形状やその他の形状となるような胴体形状でも良いことを付言する。
【符号の説明】
【００２２】
１        桶胴太鼓キット
２        胴体片
２１      分割面
２２      貫通孔
２３      端部
３        胴体部分
４        鼓体
４１      鼓面
４２      固定リング
４３      雄ねじ片
４４      雌ねじ片
４５      孔部
４６      座堀部
４７      中空部
５        リング板
６        紐体
６１      留め具
７        押圧紐
【図１】
0003231073.tif 000003
【図２】
0003231073.tif 000004
【図３】
0003231073.tif 000005
【図４】
0003231073.tif 000006
【図５】
0003231073.tif 000007
【図６】
0003231073.tif 000008